(57)【特許請求の範囲】
【請求項１】
左右に一次側、二次側の各配管とそれぞれ接続する一次側給水室と二次側給水室を配し、中央部に各給水室への部材装嵌作業可能な空間を有する中間室を設けた弁箱の中間室上部を開閉可能に構成し、弁箱内壁に設けられた案内溝に係合して中間室上部から挿入される中間室内壁に対応して対向し、中間室内において係合する一対の係止枠部材により、一次側給水室に第１逆止弁、中間室を隔てた二次側給水室に第２逆止弁を、それぞれ嵌装係止するように構成したことを特徴とする減圧式逆流防止器
【請求項２】
弁体を閉弁方向に引張する引張バネを嵌装する弁軸の弁体装着側端部に雄螺子を刻設し、弁軸支持枠の後部に固定したリテーナと弁軸の後端部に螺合する雌螺子部材の間に弁体を着脱可能に嵌装して螺合締着するように構成した逆止弁を、第１逆止弁として装置した請求項１記載の減圧式逆流防止器
【発明の詳細な説明】
【０００１】
【産業上の利用分野】
本発明は、高層ビル或いは雑居ビルやマンション等の立ち上がり給水機構を有する建物の水道配管所要部に配設して、給水圧の変化や逆止弁の故障などの場合でも供給水が逆流するのを防止する減圧式逆流防止器に関するものである。
【０００２】
【発明が解決しようとする課題】
従来、この種の減圧式逆流防止器は、左右に一次側、二次側の各配管との継手部、底部に逃がし弁孔を設けた弁箱の一次側給水室に第１逆止弁、中間室を隔てた二次側給水室に第２逆止弁を装置すると共に、中間室の内圧の変化とダイヤフラム背圧室の内圧の変化によって逃がし弁孔の開閉が行なわれる逃がし弁機構を設けて構成されているが、第１逆止弁、第２逆止弁はボルトやビスによって弁箱内に螺子止め固定されて装置されている。
【０００３】
しかしながら、逆止弁の弁箱内螺子止め固定については、螺子止め固定作業が極めて面倒であるほか、一度固定された逆止弁をメンテナンス等のために取り外す必要もあり、特に磨耗により頻繁に交換しなければならないバルブディスクの交換のために、専用の器具を用いて逆止弁を本体から取外し、更に、逆止弁を分解してバルブディスクを交換しなければならないという問題点を含んでいる。
【０００４】
更に、逆流防止器に用いられる通常の逆止弁は、磨耗したバルブディスクの交換等を行なうには、工場等の専用器具の調っている場所で逆止弁を分解し、ディスクの交換を行なって組立て直さなければならないため、逆止弁全体をまるごと交換している実情にある。このことは特に圧縮力の大きいバネを使用している第１逆止弁について問題となっている。
【０００５】
【課題を解決するための手段】
本発明は上記した課題に対応しようとするものであり、中央部に各給水室への部材装嵌作業可能な空間を有する中間室を設けた弁箱の中間室上部を開閉可能に構成し、弁箱内壁に設けられた案内溝に係合して中間室上部から挿入される中間室内壁に対応して対向する一対の係合枠部材を挿入することにより、一次側給水室に第１逆止弁、中間室を隔てた二次側給水室に第２逆止弁を、それぞれ嵌装係止するように構成した。
【０００６】
このように構成することにより、中間室上部を開口して逆止弁を係止する係合枠部材を挿入部から引き上げることにより、逆止弁を弁箱内から取り外すことが可能となると共に、弁箱内への部材の配設が簡易化され、メンテナンス等の際の分解も容易に行なえるようにしたものである。
【０００７】
また、逆止弁の付勢バネの着脱を行なう作業が技術的に極めて困難な実情に対応して、逆止弁、特に強力な付勢バネを必要とする第１逆止弁について、弁体を閉弁方向に付勢する付勢バネを嵌装する弁軸の弁体装着側端部に雄螺子を刻設し、弁軸支持枠の後部に設定したリテーナと弁軸の後端部に螺合する雌螺子部材の間に弁体を着脱可能に嵌装して螺合締着するように構成し、雌螺子部材を螺退させて離脱させるだけで弁体を取り外すことができて現場でのディスク交換も簡単にできるようにした。
【０００８】
【実施例】
以下、本発明の実施例を図面を参照して説明する。１は弁箱で、上部に開閉可能な覆蓋18、左右に一次側、二次側の各配管との継手部11、12、底部に逃がし弁孔13、上部に逃がし弁４の弁棒41を上下に作動するダイヤフラム５の背圧室51が設けられている。
【０００９】
弁箱１の一次側給水室14には第１逆止弁２、中間室15を隔てた二次側給水室16には第２逆止弁３が嵌装されており、弁箱内壁に設けられた案内溝17に係合して中間室上部から対向して挿入される一対の係止枠部材６、７を挿入することにより、各逆止弁の嵌装部が区画されて各逆止弁が係止されるようになっている。
【００１０】
係止枠部材は一次側部材６と二次側部材７とからなっており、それぞれ中央部に通水孔61、71が設けられ、両翼を中間室内壁に対応してコの字型に折曲した金属板によって構成されている。一次側部材６は中間室内壁にそのまま嵌合する形状になっているが、二次側部材７には弁箱内壁の案内溝17に係合する突片72、72が両側に張出して形成されている。
【００１１】
逆止弁の係止は、第１逆止弁と第２逆止弁を弁箱内各装嵌給水室に嵌装し、先ず、一次側部材６の通水孔61に第１逆止弁２の弁体24の先端を嵌入して一次側部材６を中間室内壁に嵌合した後、弁箱内壁の案内溝17に二次側部材７の突片72、72を係合させ下方に摺動させて中間室内壁に嵌合挿入する。なお、図に表示した突片72、72の構成は１つの実施例であり、図に表示したように端部側面を側端に沿って縦長に折曲して構成しても良いが、端部上面と下面に突片幅の２条の切込みを入れ外方に折曲して上下に案内溝17に嵌合する舌状の突片に構成することもできる。
【００１２】
二次側部材７の挿入により、一次側部材６の対向端部62、62は外側から二次側部材７の端部舌片73、73により中間室内壁面に押圧されて係止される。このように構成して、一次側部材６と二次側部材７とによって構成される係止枠の係合嵌装により各逆止弁を弁箱内に装嵌係止でき、係止枠の係合解除により各逆止弁を本体から取外しできるようにしたものである。
【００１３】
一次側給水室14に嵌装される第１逆止弁２は、ディスク２５を嵌着した弁体２４を閉弁方向に付勢する付勢バネ２６を嵌装する弁軸２１の弁体装着側端部に雄螺子２７を刻設し、弁軸支持枠２３の後部に設定したリテーナ２８と弁軸の後端部に螺合するナット２２の間に弁体を着脱可能に嵌装して螺合締着するように構成されている。
なお、第２逆止弁はバネの付勢力が３kg程度で良いので通常のカートリッジ式のものを用いるが、逆流防止器としては第１逆止弁と第２逆止弁を通常のカートリッジ式のものを用いても良いことは勿論である。
【００１４】
第１逆止弁２のディスク25を交換しようとする場合には、弁箱上部の覆蓋18を外すと覆蓋18に付設されている逃がし弁４の弁棒41、ダイヤフラム５の背圧室51が一緒に外れ、開口部から弁軸21の雄螺子27に螺合するナット22を外すことができる。
【００１５】
この場合、ナット２２を外せば弁体２４を自由に取り外せるが、付勢バネ２６はリテーナ２８が雄螺子２７と螺合しているので、ナット２２を外しても付勢バネ２６の嵌装域はリテーナ２８に支持されて影響を受けることがない。
【００１６】
弁軸21は支持枠23に摺動可能に嵌装され、リテーナ28によって嵌装域が固定され、支持枠23の外周が弁箱内壁にＯリング81を介して嵌着固定されて弁軸21を支持すると共に、支持枠23の二次側端がディスク25に突合して弁座29を構成するようになっている。
【００１７】
以上のように構成された逆流防止器の作動は、通常の流れでは一次側の圧力が第１逆止弁２により減圧されて中間室15内に流れ、更に、第２逆止弁３を通って一次側に流れるが、このとき一次側の圧力が一次側給水室14に設けられたバイパス52によりダイヤフラム５の背圧室51に送圧され、ダイヤフラム５の上下の圧力差により逃がし弁４は閉鎖されている。
【００１８】
逆流防止器への給水がない場合には、一次側の給水圧力が停止するので第１逆止弁２、第２逆止弁３、逃がし弁４は共に閉鎖状態となっている。
【００１９】
配管故障により二次側給水圧が一次側給水圧より高くなる逆圧現象が生じると、通常は第２逆止弁３が作動して逆流を防止するが、第２逆止弁３が異物のかみ込み等による漏れがあると二次側給水圧が中間室15内に入り、中間室15の内圧と一次側給水圧との圧力差が小さくなれば逃がし弁４が開弁して逆流水を逃がし弁孔13から排出する。
【００２０】
一次側給水圧が低下する逆サイホン現象が生じると、逆サイホン現象によって一次側給水圧と中間室15の内圧との圧力差が小さくなれば逃がし弁４が開弁して大気開放状態となり、一次側給水圧が更に低下して大気圧以下になると逃がし弁４は全開状態となるが、この状態で第１逆止弁２の故障により漏れがあると逃がし弁孔13から空気が導入されて逆流の防止が行なわれる。
【００２１】
以上のような逆流防止器の作動は、本体配圧経路の所要部に配設されたテストバルブ８により、各経路に適切な配圧がなされているか否かをテストして逆流防止器が正常に機能しているかを常に確認できるようになっている。
【００２２】
本発明は以上のように構成したので、第１逆止弁、第２逆止弁の弁箱内係止や取外しを螺子を外したり締めたりする面倒な作業を行なうことなく、係止枠部材の挿脱によって行なうことができ、第１逆止弁の故障や部品の交換にも弁軸の弁体係止ナットを外すだけで対応できる逆流防止器を開発することができたものである。
【００２３】
【図面の簡単な説明】
【図１】  本発明による逆流防止器の実施例を示すもので、逆流防止器本体の全体構造を示した縦断面側面図である。
【図２】  同じく、第１逆止弁、第２逆止弁の弁箱内係止を行なう係止枠部材の実施例を示す全体斜視図である。
【図３】  同じく、図２の係止枠部材による第１逆止弁、第２逆止弁の弁箱内係止状態を示す逆流防止器本体の上部覆蓋を取り外した状態における全体平面図である。
【図４】  同じく、第１逆止弁の実施例を示すもので、第１逆止弁の全体構造を示した縦断面側面図である。
【図５】  同じく、図４の第１逆止弁の分解状態を部材を縦断面として示す第１逆止弁の分解側面図である。
【図６】  同じく、図４の第１逆止弁の左側からの正面図である。
【符号の説明】
１      弁箱
１１    一次側配管との継手部
１２    二次側配管との継手部
１３    逃がし弁孔
１４    一次側給水室
１５    中間室
１６    二次側給水室
１７    弁箱内壁の係止枠案内溝
１８    弁箱の上部覆蓋
２      第１逆止弁
２１    逆止弁の弁軸
２２    弁軸後端部に螺合するナット
２３    弁軸支持枠
２４    弁体
２５    弁ディスク
２６    逆止弁の付勢バネ
２７    逆止弁の弁軸端部の雄螺子
２８    逆止弁の弁体固定リテーナ
２９    逆止弁の弁座
３      第２逆止弁
４      逃がし弁
４１    逃がし弁の弁棒
５      ダイヤフラム
５１    ダイヤフラムの背圧室
５２    一次側給水室からダイヤフラムの背圧室へのバイパス
６      一次側係止枠部材
６１    一次側係止枠部材の通水孔
６２    一次側係止枠部材の対向端部
７      二次側係止枠部材
７１    二次側係止枠部材の通水孔
７２    二次側係止枠部材の案内溝係合突片
７３    二次側係止枠部材の端部舌片
８      テストバルブ
８１    Ｏリング
【図１】
0003977034.tif 000002
【図２】
0003977034.tif 000003
【図３】
0003977034.tif 000004
【図４】
0003977034.tif 000005
【図５】
0003977034.tif 000006
【図６】
0003977034.tif 000007